(57)【要約】      （修正有）【課題】内部に収納される部品等を衝撃から守る収納容器用の板材の生産方法、板材及びこの板材を組み立てた収納容器を提供する。【解決手段】ダンプラからなる基板１１に、内部に収納される部品等を衝撃から守るためのクッションシート１３を積層させ、さらに、このクッションシート１３を補強するため、基板１１とクッションシート１３の間に、裂けにくくちぎれにくい繊維からなる補強シート１２を介在させた板材１０を生産する。さらに、この板材１０を使って、自動車部品などの工場製品の通い箱に適した繰り返し使用可能な収納容器を生産する。【選択図】図１
2016113189.tif 000002
【特許請求の範囲】
【請求項１】
収納容器の筐体を構成する基板と、この基板の外面にこの基板より薄くて柔らかいクッション性を有するクッションシートを離脱しないように積層することを特徴とする収納容器用の板材の生産方法。
【請求項２】
上記基板と上記クッションシートとの間に、このクッションシートより薄くて裂けにくくちぎれにくい繊維からなる補強シートを、上記基板及び上記クッションシートから離脱しないように介在させたことを特徴とする請求項１記載の収納容器用の板材の生産方法。
【請求項３】
上記基板は内部に中空空気層を有し、この中空空気層の長手方向に対して、上記補強シートの繊維の糸の方向がほぼ直交することを特徴とする請求項２記載の収納容器用の板材の生産方法。
【請求項４】
上記クッションシートの裂けやすい方向またはちぎれやすい方向に対して、上記補強シートの繊維の糸の方向がほぼ直交することを特徴とする請求項３記載の収納容器用の板材の生産方法。
【請求項５】
上記基板は内部に中空空気層を有し、この中空空気層の長手方向に対して、上記クッションシートの裂けにくい方向またはちぎれにくい方向は、ほぼ直交するまたはほぼ平行することを特徴とする請求項３または４記載の収納容器用の板材の生産方法。
【請求項６】
上記クッションシートまたは上記補強シートは、上記基板より薄く、  上記補強シートは、上記クッションシートより薄いことを特徴とする請求項５記載の収納容器用の板材の生産方法。
【請求項７】
上記補強シートの糸密度は、１インチあたり、３乃至３０本、望ましくは４乃至１５本であり、糸の太さは０．０５ミリメートル乃至１．５ミリメートル、望ましくは０．１ミリメートル乃至１ミリメートルであり、繊維密度は、面積比換算で、１％乃至２０％、望ましくは５％乃至１０％で隙間が大きいことを特徴とする請求項６記載の収納容器用の板材の生産方法。
【請求項８】
上記クッションシートの厚さは上記基板の厚さの１／１００乃至１／１であり、上記補強シートの厚さは上記クッションシートの厚さの１／１００乃至１／１０であることを特徴とする請求項７記載の収納容器用の板材の生産方法。
【請求項９】
請求項１乃至８に記載の生産方法により生産される収納容器用の板材。
【請求項１０】
請求項９に記載の収納容器用の板材を組み立てて生産される収納容器。
【発明の詳細な説明】
【技術分野】
【０００１】
本発明は、収納容器用の板材の生産方法、板材及びこの板材を使った収納容器、特に自動車部品等の通箱として繰り返し使用する収納容器用の板材の生産方法、板材及びこの板材を使った収納容器に関する。
【背景技術】
【０００２】
例えば、自動車部品、その他の機械部品、その他の部材、材料などの製品を収納する収納容器には種々のものがある。このような収納容器に収納される部品、部材、材料等の製品は、衝撃、振動、製品の出し入れなどによって、製品の精度が劣化しないようにするため、若しくは製品または収納容器の劣化防止のため、収納容器はクッション性、可撓性、弾性を有する構成材からなるようにすることを本件発明者は考えた。
【０００３】
このような収納容器の一例として、ダンプラ（プラダンともいう。以下、ダンプラと称する）を使用したものがある。ダンプラは、樹脂製で内部に多くの中空構造をかかえているため、軽くて丈夫であり、また、耐水性、耐衝撃性、耐薬品性に優れている。このため、繰り返し使用することが可能であり、紙製段ボールに替って、メーカーと納入先との間で、製品、部品が頻繁に往復するような場面で、通い箱として広く使用されている。
【０００４】
【特許文献１】特開２００５−１０４４８３号公報
【特許文献２】特開２０１４−２０２２６３号公報
【発明の開示】
【発明が解決しようとする課題】
【０００５】
本発明は、上述した課題に応じてなされたものであり、本発明の目的は、内部に自動車部品など精密な部品が収納されていても、この部品を十分に衝撃から守り、繰り返し使用することのできる板材の生産方法、板材及びこの板材を使った収納容器、その他これらに必要とされる治具を提供することにある。
【課題を解決するための手段】
【０００６】
このため、本発明では、内部に中空空気層を有し、収納容器の筐体を構成する基板と、この基板の外面にこの基板より薄くて柔らかいクッション性を有するクッションシートを離脱しないように積層することを特徴とする収納容器用の板材の生産方法、板材及びこの板材を使った収納容器を提供する。
【０００７】
さらに、本発明では、上記基板と上記クッションシートとの間に、このクッションシートより薄くて裂けにくくちぎれにくい繊維からなる補強シートを、上記基板及び上記クッションシートから離脱しないように介在させたことを特徴とする収納容器用の板材の生産方法、板材及びこの板材を使った収納容器を提供する。
【発明の効果】
【０００８】
これにより、クッションシートによって収納容器内部に収納される部品等を衝撃から守り、精密部品であっても安全に運搬することができる。更に上記クッションシートに部品等によって傷がついても補強シートの作用により、クッションシートの傷が大きく拡がらず、収納容器内部に収納される部品等を十分に保護することができる収納容器用の板材を生産することができる。また、この板材を組み立てて収納容器を生産することができる。
【０００９】
上記のような通い箱として使用される収納容器では、精密な部品を運搬するため、ダンプラできた筐体の内側の面は、クッション性にすぐれ衝撃を吸収して内部に収納された製品を守ることができる。さらに、クッション性の高い高発泡樹脂シートを収納容器内部に接着させれば、上記収納容器を繰り返して使用するために、上記高発泡樹脂シートは傷がついても、その傷が広がらず、比較的長期にわたって衝撃を吸収し、内部に収納された精密部品を保護する機能を維持できる。
【図面の簡単な説明】
【００１０】
【図１】板材１０の断面を示す。
【図２】基板１１の断面を示す。
【図３】補強シート１２の網目構造を示す。
【図４】収納容器４０を示す。
【図５】板材２０の断面を示す。
【図６】収納容器５０の一部を示す。
【図７】収納容器５０の他の実施形態を示す。
【符号の説明】
【００１１】
１…収納容器  ２…ライナー
３…中芯  ４…中空空気層
１０…板材  １１…基板（ダンプラ）
１２…補強シート（網目不織布シート）
１３…クッションシート（高発泡樹脂シート）
２０…板材  ２１…基板（ダンプラ）
２２…補強シート（網目不織布シート）
２３…クッションシート（高発泡樹脂シート）
２４…補強シート（網目不織布シート）
３０…繊維  ３１…縦ウェブ  ３２…横ウェブ
３３…直交積層不織布  ４０…収納容器
４１…底面  ４２…側面
４３…側面  ４４…側面
４５…側面  ４６…折り曲げ部
４７…接合部  ５０…収納容器
５１…底面  ５２…仕切り板  ５３…組み仕切
【発明を実施するための形態】
【００１２】
（１）板材１０の積層構造
図１は本発明の一実施形態による収納容器１用の板材１０の断面構造を示す。板材１０では、内部に中空空気層４を有し、収納容器１の筐体を構成する基板１１と、この基板１１の外面にこの基板１１より薄くて柔らかいクッション性を有するクッションシート１３が離脱しないように、接着され、積層されている。
【００１３】
さらに、板材１０は、上記基板１１と上記クッションシート１３との間に、このクッションシート１３より薄くて裂けにくくちぎれにくい繊維からなる補強シート１２を、上記基板１１及び上記クッションシート１３から離脱しないように介在させた構造となっている。
【００１４】
次に、図２を参照しながら、収納容器１の筐体を構成する基板１１の構造について説明する。基板１１は、ダンプラからなり、主にポリプロピレンまたはポリカーボネート等の樹脂素材でできている。基板１１（ダンプラ）は、表裏の表面を構成する２枚の平面状のライナー２…の間に、一定の長さを持った細長い塀形の長方形型の中芯３…が等間隔を置いて互いに平行に、２枚のライナー２…に直交するようにライナー２…の間に設けられている。したがって、ライナー２…、中芯３…に囲まれて、中空空気層４…が形成されている。
【００１５】
このようなダンプラは、複数の細長い円筒の側面どうしを接着剤または加熱によって接着して面状にしてつないでいき、一対の回転ローラまたは板状プレスなどによって上下から加熱して、円筒を四角筒に成形するか、または材料を型枠に押し出し一気に成型する押し出し成型により製造される。押し出し成型の場合、一体物の製品であるため、ダンプラに力が加わっても、上記ライナー２…と中芯３…が剥がれることがない。
【００１６】
上述のように、基板１１は、内部に中空構造を有しているため、強度があるにも関わらず、軽い素材となっていて、軽量で運搬に都合がよい。また、基板１１は、ポリプロピレン等樹脂素材からできているため、基板１１で作られた収納容器１は、紙段ボールシート製の収納容器に比べて、耐水性、耐久性、耐薬品性に優れ、強度が必要な用途や、長期利用もしくは再利用を前提としたケース類などに適している。特に、リターナブル、リユース、リサイクルな収納容器として自動車部品等の工場製品、部品の通い箱として適している。
【００１７】
さらに、基板１１は、ポリプロピレン等熱可塑性樹脂でできているため、熱を加えることまたは力を加えることで、切断、折り曲げ、接合などの加工を容易に行うことができる。このため、基板１１を組み立てて収納容器または収納容器の板材を生産する場合にも、収納される物品に合わせて収納容器の形状、大きさを自在に変えることができるし、必要に応じて内部に仕切り板を設ける等の加工も容易である。また、特殊なインクを使って表面に着色することもできる。工場で使用される部品の通箱として使用される場合には、通常は、適当な大きさの直方体の収納容器が形成される。
【００１８】
上記板材１１の表面には、衝撃を吸収し、内部に収納される部品等を保護するためのクッションシート１３が全面に接合されて覆っている。こうしたクッションシート１３は、高発泡樹脂シート等基板１１より柔らかいクッション性を有する素材、例えばミラマット（ＪＳＰ社製。登録商標）等でできている。ミラマットは、ポリエチレンに無数の独立気泡を形成させながら、シート状に連続押出成形したもので、無架橋法による高発砲ポリエチレンシートである。
【００１９】
上記ミラマットでできたクッションシート１３は、緩衝性、断熱性、柔軟性、軽量性に優れており、薄くても衝撃を吸収して収納容器内部に収納された部品を保護することができる。また、ミラマットは無架橋品であるため、ゴミとして焼却する場合にも有害ガスが出ず、またマテリアルリサイクルが容易である。シート形成方向の一方の強度が弱いことがあり、この方向に力が加わると、裂けることがあり、一度裂け目ができるとシート形成方向に沿って裂け目が拡がりやすいことがあった。
【００２０】
上記クッションシート１３の厚さとしては、あまりに薄いと衝撃を吸収し、収納容器内部に収納される部品などを充分に衝撃から保護することができない。しかし、あまりに厚すぎると後述する補強シート１２への接着が悪くなる。このため、クッションシート１３の厚さとしては、上記基板１１の厚さより薄く、具体的には、上記基板１１の厚さの１／１００乃至１／１が好ましく、より望ましくは１／４乃至１／２となる。
【００２１】
上述したように、クッションシート１３はその形成方向に裂けやすいことがある。このため、内部に収納される自動車部品等によってクッションシート１３の表面に傷ができてしまうと、この傷からシート形成方向にそって、裂け目が広がることがあり、その場合には、内部に収納される部品等を充分に衝撃から保護する機能が維持できなくなる。
【００２２】
これを改善するため、本実施形態の板材１０では、基板１１とクッションシート１３の間に、図１に示すように、クッションシート１３より裂けにくくちぎれにくい繊維からなる補強シート１２を、上記基板１１及び上記クッションシート１３から離脱しないようにこれらの間に介在させる。特に、補強シート１２は、クッションシート１３がシート形成方向に沿って裂けるまたは剥がれるのを防ぐために、裂けにくくちぎれにくい繊維からなる網目構造または織り構造をもったシートであることが好ましく、たとえば、ワリフ・クラフ（ＪＸグループ製、登録商標）などでできたシートが好ましい。
【００２３】
ワリフ・クラフは、ポリオレフィン製のフィルムを、割繊・延伸してできた繊維を、直交積層して作られた織られた布または不織布である。図３は、このワリフ・クラフの網目構造または織目構造を模式的に示す。まず、網目または織目の方向が互いに異なる縦ウェブ３１と横ウェブ３２を作り、これらを直交積層させることで、通気性がよく、多方向に対して形状が安定する直交積層不織布３３（または織物）を作ることができる。
【００２４】
このワリフ・クラフは、寸法安定性が高く目ずれを起こさない。また、引張強度が約１００乃至３００Ｎ／５０ｍｍであるため、縦方向にも横方向にも裂けにくくちぎれにくく剥がれにくい。また、耐水性、耐薬品性も優れている。更に、開口率が大きく、通気性を損なわない。そして、ワリフ・クラフは加工性が高く、熱圧着、超音波ラミネーション、パウダー加工、押し出しラミネーション、ドライラミネーションなどにより様々な他の素材と容易に貼りあわせることができる。
【００２５】
このワリフ・クラフ等からなる補強シート１２を、基板１１とクッションシート１３の間に挟んで介在させると、収納容器に収納した部品等によってまたはその他の原因によってクッションシート１３に傷ができたとしても、補強シート１２を構成する丈夫な繊維の網目構造、または補強シート１２が織られた布の場合は織目構造により、傷がクッションシート１３のシート形成方向に沿って、拡がるのを防ぐことができ、クッションシート１３、基板１１、収納容器１を補強できる。
【００２６】
上記補強シート１２の厚さとしては、あまりに薄いとクッションシート１３を充分に補強することができないが、あまりに厚いと、基板１１およびクッションシート１３への接着が悪くなる。したがって、上記補強シート１２は、上記基板１１より薄く、上記クッションシート１３より薄いことが好ましい。具体的には上記補強シートの厚さは、上記クッションシート１３の厚さの１／１００乃至１／１０であることが好ましい。
【００２７】
上記補強シート１２の糸密度は、あまりに高いと、基板１１やクッションシート１３への接着が悪くなり、クッションシート１３を充分に接着できなくなるまたは補強できなくなる。また他の素材が持つ通気性も損なう。このため、補強シート１２の糸密度としては、１インチあたり、３乃至３０本、望ましくは４乃至１５本であり、糸の太さは０．０５ミリメートル乃至１．５ミリメートル、望ましくは０．１ミリメートル乃至１ミリメートルであり、繊維密度は、面積比換算で、１％乃至４０％、望ましくは５％乃至３０％で隙間が大きい。
【００２８】
このような、形状安定した補強シート１２を、基板１１とクッションシート１３の間に介在させることにより、上述したクッションシート１３を補強し、クッションシート１３に形成された裂け目がシート形成方向に拡がるのを防ぎ、クッションシート１３を基板１１から剥がれにくくし、収納容器内部に収納される部品等を比較的長期にわたって保護することができる。
【００２９】
上記、基板１１、補強シート１２、クッションシート１３を離脱しないように接合させる方法としては、これらを構成する素材に適合した接着剤を用いることができる。例えば、酢酸ビニール樹脂、アクリル系樹脂などのエマルジョンタイプや合成ゴム系接着剤、あるいはエチレン酢酸ビニール共重合体樹脂（ＥＶＡ）系ホットメルト型接着剤など公知の接着剤から、板材１０を構成する各層の素材に適したものを選択して使用することができる。上記接着剤で接合する方法としては、基板１１、補強シート１２、クッションシート１３の表面に接着剤を噴霧、塗布する他、接着剤フィルムを各層間に挟むなどの方法がある。
【００３０】
また、接着剤を用いる以外に、基板１１、補強シート１２、クッションシート１３を互いに接合する方法としては、押し出しラミネーション、溶着などの方法もある。さらに、溶着には、高周波加熱溶着、熱溶着、振動溶着、超音波溶着、誘導溶着、レーザー溶着等の技術を用いることができ、専用のプラスチック溶着機を用いることもできる。
【００３１】
接合順序としては、基板１１の上にまず補強シート１２を接着し、この上にクッションシート１３を接着せさてもよい。また、補強シート１２とクッションシート１３を、上述した接着剤、熱圧着、超音波ラミネーション、パウダー加工、押し出しラミネーション、ドライラミネーションなどにより、貼りあわせたシートを作り、これを補強シート１２側で基板１１に接合してもよい。
【００３２】
このような接着剤は、クッションシート１３と補強シート１２との間に塗布・噴霧されてもよいし、基板１１と補強シート１２との間に塗布・噴霧されてもよいし、これら両方の間のいずれにも塗布・噴霧されてもよい。補強シート１２は薄くて、開口率が大きく隙間が大きいので、この接着剤は、補強シート１２の一方の面から他方の面まで浸出でき、接着が強固になるし、接着剤の塗布・噴霧が補強シート１２の片面だけでも十分に接着できる。
【００３３】
具体的な板材１０の製造方法としては、まず、基板１１の表面に接着剤を塗布し、補強シート１２を接着する。次に、補強シート１２表面またはクッションシート１３の表面に接着剤を塗布し、クッションシート１３を補強シート１２表面に接着する。補強シート１２の表面に接着剤を塗布しなくてもよいことがある。なぜなら、補強シート１２は開口率が大きいため、基板１１に塗られた接着剤により基板１１とクッションシート１３とを、補強シート１２を間に介在して接着することができる。
【００３４】
また、板材１０の他の製造方法では、先にクッションシート１３の表面に接着剤を塗布し、補強シート１２を接着する。補強シート１２表面または基板１１の表面に接着剤を塗布し、補強シート１２を基板１１表面に接着する。補強シート１２の表面に接着剤を塗布しなくてもよいことがある。なぜなら、補強シート１２は開口率が大きいため、クッションシート１３に塗られた接着剤により基板１１とクッションシート１３とを、補強シート１２を間に介在して接着することができる。
【００３５】
このほか、基板１１、補強シート１２、クッションシート１３、接着剤を、熱ローラ等で加圧加熱して同時に積層成形してもよい。この場合、接着剤は、基板１１と補強シート１２との間、または／及び補強シート１２とクッションシート１３との間に塗布・噴霧される。
【００３６】
上記クッションシート１３の裂けやすい方向ちぎれやすい方向に対して、上記補強シート１２の繊維の糸（経糸または緯糸）の方向はほぼ直交するように両者は接合される。この直交する糸（経糸または緯糸）の方向は、図３の縦ウェブ３１では縦方向または左斜め４５度の方向であり、横ウェブ３２では左斜め１５度または右斜め１５度の方向であり、直交積層不織布３３では縦方向、左斜め１５度または右斜め１５度の方向である。
【００３７】
クッションシート１３の裂けやすい方向ちぎれやすい方向は、クッションシート１３の形成方向であり、クッションシート１３を長尺状に形成してロール状に巻き取る場合の、巻き取り方向または長尺の長手方向となる。これにより、クッションシート１３が補強シート１２によって、より補強され、クッションシート１３がより裂けにくくちぎれにくくなる。
【００３８】
上記基板１１の中空空気層４の長手方向、つまり図１及び図２の紙面に対して直交する方向、すなわち基板１１の強い方向に対して、上記補強シート１２の繊維の糸（経糸または緯糸）の方向がほぼ直交するように接合される。これにより、基板１１が補強シート１２によって、より補強され、基板１１がより補強される。
【００３９】
さらに、補強シート１２の中の糸のうち、一番強い糸の方向が、上記クッションシート１３の裂けやすい方向ちぎれやすい方向に対してほぼ直交する方向になり、二番目に強い糸の方向が、上記基板１１の中空空気層４の長手方向つまり基板１１の強い方向に対してほぼ直交する方向になるように、補強シート１２が配置介在されてもよい。
【００４０】
この場合、上記基板１１の中空空気層４の長手方向つまり基板１１の強い方向に対してクッションシート１３裂けやにくい方向ちぎれにくい方向がほぼ直交するなど、異なる方向となる。しかし、上記基板１１の中空空気層４の長手方向つまり基板１１の強い方向に対してクッションシート１３裂けにくい方向ちぎれにくい方向がほぼ平行するなど、ほぼ同じ方向となれば、補強シート１２の中の糸のうち、一番強い糸の方向が、これらの両方向のいずれもと直交でき、効率よく補強できる。
【００４１】
上記補強シート１２の厚さは、クッションシート１３の厚さの１／１００乃至１／１０で、補強シート１２の繊維密度は、面積比換算で、１％乃至４０％、望ましくは５％乃至３０％で隙間が大きいので、この隙間に接着剤が保持・維持されるので、また、この隙間に均等に接着剤が行きわたるので、クッションシート１３が基板１１から剥がれにくくなる。
【００４２】
（２）収納容器の生産方法
上記板材１０を組み立てて、図４に示すような収納容器１を生産することができる。収納容器１は、直方体型をしており、底面４１とこの底面から直角に立ち上がる同じ高さを持つ４つの側面４２、４３、４４、４５からなり、上面が開放されている。収納容器１は、主に、自動車部品等の通い箱として使用され、自動車部品その他の金属部品といった、収納容器１より重いものが収納されるが、樹脂部品といった、収納容器１より軽いものが収納されることも多い。
【００４３】
板材１０、板材２０は、上述したように、基板１１、基板２１がポリプロピレン等熱可塑性プラスチックでできているため、加工が容易であり、切断、曲げ、接着加工等によって、図５に示すような直方体型の収納容器１を簡単に生産することができる。
【００４４】
収納容器１を生産するには、まず、上記で生産された板材１０を適度な大きさ、形状に切断する必要がある。そこで、ＣＡＤで収納容器１の底面及び側面からなる展開図面を引いた後、そのデータをもとにＣＡＭ（カッティングプロッタ）、トムソンプレス、パネルソー等で板材１０を切断加工する。板材が充分に薄い場合には、カッター等でも切断することができる。
【００４５】
次に、切断された板材１０を、クッションシート１３側を内側・内面にして、曲げ加工を施し、底面４１から側面４２、４３、４４、４５を底面４１に対して直角に立ち上げる。この場合、ダンプラは折り曲げに対し耐性があるため、底面４１と側面４２、４３、４４、４５との四つの境界線を折り曲げ部４６…として、熱によってＶ字型の溝をつけるか、あるいはカットラインを入れる。こうした加工を施すと、ダンプラに曲げ耐性があっても、側面４２、４３、４４、４５部分が底面４１に対して直角に折り曲げられた状態で固定することができる。
【００４６】
次に、側面４２、４３、４４、４５の接合部４７…の内側に仕切り板５２と同じ素材からなる支柱を固定し、側面４２、４３、４４、４５の外側から支柱まで樹脂製の螺旋ねじを回転しながら打ち込むが、このような樹脂製の螺旋ねじを使わなくてもよい。また、側面４２、４３、４４、４５の接合部４７…どうしを、接着加工により接合する。
【００４７】
接着は、例えば、超音波溶着機、または超音波リベッターなどで、樹脂に対して超音波振動を与え、発生する振動熱／摩擦熱で接合部４７…を溶融溶着させる。このような、超音波溶着以外にも高周波加熱、熱、振動等による溶着を施してもよく、溶着の場合には、収納容器をすべて樹脂製にすることができるため、廃棄の際にリサイクルしやすくなる。またはダンプラが十分に厚い場合には、鋲、カシメ等を打ち込んでもよい。樹脂製の鋲を使用すれば、リサイクルに便利である。また、ダンプラの素材と適合するホットメルト等の接着剤を接合部４７…に塗布してもよい。
【００４８】
以上のようにして、直方体型の収納容器１を生産することができる。本実施形態では、自動車用の部品をメーカーから納入先に収めたり、工場の工程内を繰り返し使用したりする通い箱として使われる。本収納容器１では、筐体がポリプロピレン等のダンプラからなる基板１１でできており、軽くて強度があり、耐水性、耐久性、耐薬品性にすぐれており、長期間繰り返し使用することができる。したがって、コストを削減することができる。
【００４９】
また、収納容器１の内側には、ミラマット等柔らかい素材で作られたクッションシート１３が全面に貼られているため、収納容器１の内部に収納される部品等を衝撃から守り、部品性能を維持することができる。そして、基板１１とクッションシート１３の間には、ワリフ・クラフ製の補強シート１２が介在しているため、クッションシート１３に部品等により傷がついても、裂け目がクッションシート１３のシート形成方向に沿って拡がることがなく、またクッションシート１３が基板１１から剥がれにくくなり、内部に収納される部品等を比較的長期にわたって保護することができる。
【００５０】
中空空気層４の方向は、収納容器１の側面４２、４３、４４、４５の縦方向でもよいし、横方向でもよいし、斜め方向でもよいし、底面４１の縦横どちらの方向でもよいし、斜め方向でもよい。
【００５１】
（３）第二実施形態
図５は、本発明の他の実施形態における板材２０の積層構造を示す。本実施形態による板材２０では、基板２１、補強シート２２、クッションシート２３が積層された上に、さらに補強シート２４が積層された構造となっている。クッションシート２３は上下を補強シート２２及び補強シート２４で挟まれた構造となっているため、クッションシート２３の補強がさらに強化され、クッションシート２３に傷ができてもシート形成方向に裂け目が拡がらない。
【００５２】
また、この上面外側の補強シート１２が、クッションシート１３を保護して裂けにくくする。さらに、この上面外側の補強シート１２が、クッションシート１３を基板１１に対して押えつける役目を果たすので、クッションシート１３が基板１１から剥がれにくくなる。
【００５３】
なお、この第二実施形態で記載されていないことは、上記第一実施形態で記載されている内容が参照及び引用される。例えば、基板２１、補強シート２２、クッションシート２３、補強シート２４の素材は、それぞれ第一実施形態の基板１１、補強シート１２、クッションシート１３などに使用されたものと同様の素材、構成構造を使用することができ、これらの層の接合方法も上述した方法が使用される。
【００５４】
（４）第三実施形態
図６は、本発明の他の実施形態における収納容器５０の一部を示す。収納容器５０は板材１０または板材２０を素材として組み立てられている。収納容器５０の底面５１には、仕切り板５２が起立する状態で固定され、この仕切り板５２の上縁には櫛歯状に凹凸が形成されている。そして、この凹凸の間に部品などの運搬物を挟みこんで、衝撃から守ることができる。仕切り板５２は、ポリエチレン等のクッション性のある部材からなり、接着剤等で底面５１に接着固定される。そして、運搬中に部品など運搬物がこの櫛歯状に凹凸から外れたとしても、筐体内部表面に貼られたクッションシートにより、衝撃から保護され、精密部品であっても安全に運搬することができる。  
【００５５】
仕切り板５２の形状は、上記のものに限られず、直方体のほか、立方体、円柱、楕円柱、角柱、半円柱、半楕円柱、半角柱、円錐台、角錐台、球、卵形、半球、半卵形、多面体、ひょうたん形、その他の立体形状、これらの組み合わせ立体形、収納物の形状に応じた凹みのあるものなど、どのような形状でもよい。また、仕切り板５２は、収納容器５０の底面５１ではなく、側面に接合されていてもよい。
【００５６】
なお、この第三実施形態で記載されていないことは、上記第一実施形態及び第二実施形態で記載されている内容が参照及び引用される。例えば、収納容器５０を構成する板材は、板材１０または板材２０に使用されたものと同様の素材、構成構造を使用することができる。また、収納容器の組み立て方法についても上述した方法を使用することができる。
【００５７】
（５）第四実施形態
図７は、本発明の他の実施形態における収納容器５０の他の実施形態を示す。上記板材１０、２０…は複数の長方形状で、ある一群の下縁には縦に延びるスリットが等間隔に形成され、他の一群の上縁には縦に延びるスリットが等間隔に形成される。
【００５８】
これら二群の板材１０、２０…はそれぞれ平行に配列され、下縁にスリットが形成された板材１０、２０…と、上縁にスリットが形成された板材１０、２０…が、互いに直交するように配置されて、一方のスリットが他方のスリット内に入るようにして、各スリットが挿通しあうように／噛合うように、両群の板材１０、２０…が升目状に組み合わせられ、升目状の組み仕切５３が作られる。
【００５９】
各スリットの幅は板材１０、２０…の厚さより若干大きく、各スリットの深さは板材１０、２０…の高さのほぼ半分より若干大きい。各板材１０、２０…の両面に上記クッションシート１３及び補強シート１２が接着されるが、片面だけにクッションシート１３及び補強シート１２が接着されてもよい。
【００６０】
このような組み仕切５３は、図４のような収納容器４０内に収納されて、組み仕切５３内の各升目内に製品などが収納される。このような組み仕切５３内に製品などが収納されれば、当該製品が衝撃から保護され、精密部品であっても安全に運搬することができる。
【００６１】
このような組み仕切５３の升目は、収納する製品の形状などに応じて、正方形のほか、長方形、三角形、六角形（ハニカム）、その他の多角形、円形、楕円形、これらの組み合わせでもよいし、上下に多層に積層されてよい。この組み仕切５３は、図７の方向のほか、横向きに使用されてもよい。
【００６２】
（６）他の実施の形態
本発明は、上記各実施形態に限定されず、本発明の趣旨を逸脱しない範囲で種々変更可能である。例えば、板材１０、板材２０の積層構造は、上記実施形態で示したもの以外にも、基板１１、補強シート１２、クッションシート１３のうち、二つまたは三つの層が合体されて他の層を兼ねていてもよいし、これ以外の層が積層されていてもよい。また、補強シート１２はなくてもよい。
【００６３】
クッションシート１３は基板１１の全面ではなく一部に取り付け接合されてもよいし、補強シート１２はクッションシート１３または基板１１の全面ではなく一部に取り付け接合されてもよいし、補強シート１２はクッションシート１３より小さくても同形同大でも大きくてもよいし、クッションシート１３は補強シート１２より小さくても同形同大でも大きくてもよい。
【００６４】
上記基板１１の中空空気層４の長手方向、つまり図１及び図２の紙面に対して直交する方向に対して、上記補強シート１２の繊維の糸（経糸または緯糸）の方向がほぼ平行するように接合されてもよい。また、上記クッションシート１３の裂けやすい方向ちぎれやすい方向に対して、上記補強シート１２の繊維の糸（経糸または緯糸）の方向はほぼ平行するように両者は接合されてもよい。
【００６５】
収納容器１及び治具の内側に  上記クッションシート１３及び補強シート１２が積層されるほか、収納容器１の側面外側、底外側、その他の外側に  上記クッションシート１３及び補強シート１２が積層されてもよい。上記クッションシート１３及び上記補強シート１２は一層のほか、二層、三層と積層されてもよいし、クッションシート１３に対してクッションシート１３のみが二層、三層と積層されてもよいし、補強シート１２に対して補強シート１２のみが二層、三層と積層されてもよい。
【００６６】
収納容器１及び治具は直方体以外に、立方体、円柱、楕円柱、角柱、半円柱、半楕円柱、半角柱、円錐台、角錐台、球、卵形、半球、半卵形、多面体、ひょうたん形、その他の立体形状、これらの組み合わせ立体形状でもよい。
【００６７】
基板１１の中空空気層４は、細長い四角柱状のほか、立方体、円柱、楕円柱、角柱、半円柱、半楕円柱、半角柱、円錐台、角錐台、球、卵形、半球、半卵形、多面体、ひょうたん形、その他の立体形状、これらの組み合わせ立体形状でもよく、基板１１全体に点在してもよいし、基板１１は中空空気層４の無い中身が詰まった充填されたものでもよいし、中空空気層４は断面正方形のほか、長方形、三角形、六角形、その他の多角形、円形、楕円、その他の形状でもよいし、長尺状ではなく、長さの短いものでもよいし、短い基板１１内にランダムに点在してもよいし、基板１１はこれらが複数積層された形状でもよい。
【００６８】
上記基板１１は、ポリプロピレン等熱可塑性樹脂製であったが、ＡＢＳ、ポリエチレン、ポリスチレン、ポリカーボネート、ポリクロロトリフルオロエチレン、ポリウレタン、ボリアクリルアミド、ポリアクリル酸メチル、ポリアクリロニトリル、ポリ塩化ビニール、アクリル樹脂、ペット樹脂などの高分子樹脂・硬質樹脂・軟質樹脂でも熱可塑性樹脂・熱硬化性樹脂でもよいし、合成樹脂のほか天然樹脂でもよいし、その他、紙、木材、竹、金属、ガラス、布、繊維、ゴム、セラミック、カーボンでもよいし、これらの合成物／混合物／多層積層物／複合材料でもよい。
【００６９】
上記クッションシート１３は、基板１１より柔らかい素材ならば、ミラマット以外にも、架橋性樹脂でも、ポリエチレン以外の樹脂、たとえば、ポリプロピレン樹脂であっても、樹脂以外の素材であってもよいし、ポリウレタン素材又は発泡ウレタン素材などクッション性のある素材でもよい。また、クッションシート１３の厚さは、補強シート１２と接合可能であれば、基板１１より薄くても厚くてもよいし、補強シート１２より薄くても厚くてもよい。
【００７０】
補強シート１２の素材としては、実施形態で示したポリオレフィン不織布以外でも、クッションシート１３より裂けにくくちぎれにくい素材ならば何でもよく、織られた布でもよいし、編まれた布でもよいし、網でもよい。補強シート１２の厚さ、密度としては、基板１１、クッションシート１３と接着しやすい厚さ、密度ならばどのような範囲でもよい。また、補強シート１２はなくてもよい。
【００７１】
補強シート１２は不織布以外に、織られてもよく、織り方は、平織、斜文織、繻子織、斜め織等なんでもよいし、種類もジャガード織、コブラン織、ドビー織、タペット織、クランク織、つづれ織、タオル織、レピア織、むしろ織等なんでも良く、一重織のほか、二重織、三重織、多重織、二層織、多層織でもよいし、編まれた布でもよいし、網であってもよい。
【００７２】
上記基板１１、補強シート１２、クッションシート１３を接着する方法としては、たとえば、酢酸ビニール樹脂、アクリル系樹脂などのエマルジョンタイプ接着剤や合成ゴム接着剤、あるいは、エチレン酢酸ビニール共重合樹脂（ＥＶＡ）系ホットメルト接着剤など公知の接着剤から、これらの層を構成する素材と適合する接着剤を任意に選択して使用することができる。
【００７３】
接着剤を使用する方法としては、接着剤の噴霧、ローラまたは刷毛による、塗布または接着剤シートを各層間に挟むなどの方法がある。また、各層を接合する方法としては、接着剤を使用する以外にも、接着シートを挟んでおいて加熱溶着したり、プラスチック溶着機を使って、これらの層を溶着することができる。溶着には、熱溶着、振動溶着、超音波溶着、半導体レーザー溶着、誘導溶着、高周波溶着等がある。また、押し出しラミネーションを使用することもできる。
【００７４】
上記基板１１、補強シート１２、クッションシート１３を接着する手順としては、基板１１の上にまず補強シート１２を接着させ、ついで、この補強シート１２の上にクッションシート１３を接着させる。または、先に、補強シート１２とクッションシート１３を接着させ、これを補強シート１２側で、基板１１に接着させてもよい。補強シート１２と他の層を貼りあわせる方法としては、熱圧着、超音波ラミネーション、パウダー加工、押し出しラミネーション、ドライラミネーションなどがある。
【００７５】
収納容器１の形状は直方体のほか、立方体、円柱、楕円柱、角柱、半円柱、半楕円柱、半角柱、円錐台、角錐台、球、卵形、半球、半卵形、多面体、その他の立体形状、これらの組み合わせ立体形状でもよく、蓋はあってもなくてもよい。また、筐体の縁や角を、フレーム、コーナーなどで強度を付加した収納容器でもよい。収納容器１の内部に収納されるものに応じて、仕切り板等を設けてもよい。仕切り板の形状、数、接合位置なども内部に収納される運搬物の種類に応じて自在に変えることができる。
【００７６】
この点、基板１１として、ダンプラを使用する場合は加工が容易であるため、収納される部品などに応じて、様々な大きさ、形に収納容器１を加工することができる。また、収納容器１の内部に仕切り板等を設ける場合にも、簡単に、仕切り板を収納容器底面あるいは側面に接合することができ、加工が容易である。さらに、特殊インキを使って、収納容器１表面を構成する基板１１に自在に着色することができる。
【００７７】
収納容器１、ライナー２、中芯３、中空空気層４、板材１０、基板（ダンプラ）１１、補強シート（網目不織布シート）１２、クッションシート（高発泡樹脂シート）１３、板材２０、基板（ダンプラ）２１、補強シート（網目不織布シート）２２、クッションシート（高発泡樹脂シート）２３、補強シート（網目不織布シート）２４、繊維３０、縦ウェブ３１、横ウェブ３２、直交積層不織布３３、収納容器４０、底面４１、側面４２、側面４３、側面４４、側面４５、折り曲げ部４６、接合部４７、収納容器５０、底面５１、仕切り板５２の一部または全部は省略されてもよいし、その数が増えても減ってもよいし、その形状は任意に変更可能であり、均等の他の物に置き換えられてもよいし、これらの２つまたは３つ以上が合体または一体化されて兼用されてもよいし、他のものがさらに付加・積層・混合されてもよいし、それぞれの寸法は上記以外でもよいし、それぞれの寸法の相対的大小は切り換えられてもよいし同じでもよい。
【００７８】
（７）他の発明の効果
［１］収納容器の筐体を構成する基板と、この基板の外面にこの基板より柔らかいクッション性を有するクッションシートを離脱しないように積層することを特徴とする収納容器用の板材の生産方法。これにより、軽くて強度が強く、内部に収納される部品等を衝撃から保護することができる収納容器用の板材を生産することができる。
【００７９】
［２］上記基板と上記クッションシートとの間に、このクッションシートより裂けにくくちぎれにくい繊維からなる補強シートを、上記基板及び上記クッションシートから離脱しないように介在させたことを特徴とする請求項２記載の収納容器用の板材の生産方法。これにより、クッションシートに傷ができても、裂け目が拡がることがなく、クッションシートを基板から剥がれにくくし、内部に収納される部品等を保護する機能を比較的長期にわたって維持することができる収納容器用の板材を生産することができる。
【００８０】
［３］上記基板は内部に中空空気層を有し、この中空空気層の長手方向に対して、上記補強シートの繊維の糸の方向がほぼ直交することを特徴とする請求項２記載の収納容器用の板材の生産方法。これにより、基板が補強シートによって、より補強され、基板がより補強される。
【００８１】
［４］上記クッションシートの裂けやすい方向またはちぎれやすい方向に対して、上記補強シートの繊維の糸の方向がほぼ直交することを特徴とする請求項３記載の収納容器用の板材の生産方法。これにより、クッションシートが補強シートによって、より補強され、クッションシートがより裂けにくくちぎれにくくなる。
【００８２】
［５−１］上記基板は内部に中空空気層を有し、この中空空気層の長手方向に対して、上記クッションシートの裂けにくい方向またはちぎれにくい方向は、ほぼ直交することを特徴とする請求項３または４記載の収納容器用の板材の生産方法。これにより、上記基板がクッションシートによって補強される、つまりクッションシートが基板によって補強される。
【００８３】
［５−２］上記基板は内部に中空空気層を有し、この中空空気層の長手方向に対して、上記クッションシートの裂けにくい方向またはちぎれにくい方向は、ほぼ平行することを特徴とする請求項３または４記載の収納容器用の板材の生産方法。これにより、この平行する両方向に、上記補強シートの繊維の糸の方向をほぼ直交させることができ、上記基板とクッションシートとの両方を、補強シートの中の繊維の一方向の糸で補強できる。
【００８４】
［６］上記クッションシートまたは上記補強シートは、上記基板より薄く、  上記補強シートは、上記クッションシートより薄いことを特徴とする請求項５記載の収納容器用の板材の生産方法。これにより、クッションシートまたは補強シートが基板に対して、接着性がよくなり、基板からこれらのシートが離脱しにくい。また、補強シートとクッションシート間も接着性がよくなり、容易に離脱しない。
【００８５】
［７］上記補強シートの糸密度は、１インチあたり、３乃至３０本、望ましくは４乃至１５本であり、糸の太さは０．０５ミリメートル乃至１．５ミリメートル、望ましくは０．１ミリメートル乃至１ミリメートルであり、繊維密度は、面積比換算で、１％乃至２０％、望ましくは５％乃至１０％で隙間が大きいことを特徴とする請求項６記載の収納容器用の板材。これにより、補強シートの基板及びクッションシートへの接着性がよくなり、容易に離脱しない。
【００８６】
［８］上記クッションシートの厚さは上記基板の厚さの１／１００乃至１／１であり、上記補強シートの厚さは上記クッションシートの厚さの１／１００乃至１／１０であることを特徴とする請求項７記載の収納容器用の板材の生産方法。これにより、クッションシートは十分に衝撃吸収性を発揮することができ、また、補強シートへの接着性がよくなる。
【００８７】
［１０］請求項１乃至９に記載の生産方法により生産される収納容器用の板材。内部の部品を衝撃から保護するクッションシートについた傷が拡がらず、繰り返し使用可能な収納容器に適した板材を提供することができる。
【００８８】
［１１］請求項８に記載の収納容器用の板材を組み立てて生産される収納容器。  これにより、強度があって軽く、繰り返し使用可能な工業部品などの通い箱として適した収納容器を生産することができる。
【００８９】
［１２］樹脂製で内部に中空空気層を有し、収納容器の筐体を構成する基板シートに、網状の構造を有する補強シートを積層させ、この補強シートの上にクッション性を有する衝撃吸収シートを積層させた多層構造からなることを特徴とする上記収納容器の生産方法。  これにより、内部の部品を衝撃から保護するクッションシートについた傷が拡がらず、繰り返し使用可能な収納容器に適した板材からなる収納容器を提供することができる。
【００９０】
［１３］上記衝撃吸収シートの上に、さらに上記補強シートを積層させ、この衝撃吸収シートを上記補強シートで挟んだ多層構造からなることを特徴とする請求項１２に記載の収納容器の生産方法。これにより、クッションシートがさらに補強され、クッションシートに傷がついても、傷が拡がらず、内部に部品を充分に保護することができる収納容器を生産することができる。
【００９１】
［１４］上記衝撃吸収シートは、高発泡樹脂シートであることを特徴とする請求項１３に記載の収納容器の生産方法。これにより、薄くても内部に収納される部品を衝撃から保護することのできるクッションシートを有する収納容器を生産することができる。
【００９２】
［１５］上記衝撃吸収シートは、無架橋高発泡ポリエチレンンシートまたは無架橋高発泡ポリプロピレンンシートであることを特徴とする請求項１４に記載の収納容器の生産方法。これにより、収納容器を焼却する際にも有毒ガスが出ず、またリサイクルが容易な収納容器を生産することができる。
【００９３】
［１６］上記補強シートは、ポリオレフィン製の直交不織布であることを特徴とする請求項１５に記載の収納容器の生産方法。これにより、裂けにくくちぎれにくいポリオレフィン繊維の網目構造が、クッションシートにできた傷が拡がるのを防ぎ、内部に収納される部品を充分に衝撃から保護することができる収納容器を生産することができる。また、このポリオレフィン繊維の網目構造の中に接着剤が均等に保持されるので、クッションシートが基板から剥がれにくい。
【００９４】
［１７］上記基板シート、上記補強シート及び上記衝撃吸収シートを接合させる方法が、押し出しラミネーション、熱溶着、接着剤の塗布または接着剤シートの貼付であることを特徴とする請求項１２乃至１６に記載の収納容器の生産方法。これにより、上記基板、クッションシート、補強シートを構成する素材に適した方法で、これらの層を互いに離脱しないように接合することができる。
【産業上の利用可能性】
【００９５】
ダンプラからなり収納容器１の筐体を構成する基板１１に、内部に収納される自動車部品等精密部品を衝撃から保護するために、この基板１１より柔らかい素材、例えばミラマット等高発泡樹脂シートからなるクッションシート１３を、接着剤等を使用して離脱しないように積層させて、収納容器用の板材１０を生産する。
【００９６】
上記クッションシート１３がミラマットでできている場合には、収納部品などによりミラマットに傷ができた場合、ミラマットのシート形成方向に傷が拡がってしまう。よって、この欠点を補うため、クッションシート１３より裂けにくくちぎれにくい素材、例えば、ポリオレフィン不織シート等からなる補強シート１２を上記基板１１とクッションシート１３の間に介在させる。
【００９７】
これにより、上記板材を組み立てて作られた収納容器１は、内部に収納される部品等を衝撃から守るクッションシート１３を有し、さらに、補強シート１２によりこのクッションシート１３の傷が拡がりにくい。したがって、上記収納容器１は、自動車部品等の通い箱として適した強度があって軽く、繰り返し使用可能である。
【００９８】
内部に収納される部品等を衝撃から守る収納容器用の板材の生産方法、板材及びこの板材を組み立てた収納容器を提供する。ダンプラからなる基板１１に、内部に収納される部品等を衝撃から守るためのクッションシート１３を積層させ、さらに、このクッションシート１３を補強するため、基板１１とクッションシート１３の間に、裂けにくくちぎれにくい繊維からなる補強シート１２を介在させた板材１０を生産する。さらに、この板材１０を使って、自動車部品などの工場製品の通い箱に適した繰り返し使用可能な収納容器１を生産する。
【図１】
2016113189.tif 000003
【図２】
2016113189.tif 000004
【図３】
2016113189.tif 000005
【図４】
2016113189.tif 000006
【図５】
2016113189.tif 000007
【図６】
2016113189.tif 000008
【図７】
2016113189.tif 000009